(57)【要約】      （修正有）【課題】基地局は、ユーザ機器で推定されたチャネル品質偏差を知ることができ、下りデータ伝送時に使用する変調符号化方式（ＭＣＳ）を動的に調整することが可能になり、後続の伝送におけるＭＣＳの正確性を効果的に改善し、システムスループットおよびユーザスループットを向上させることができる、ＭＣＳを調整する方法、ユーザ機器、および基地局を提供する。【解決手段】ユーザ機器が、第１時刻に送信された第１下りデータフレームを受信し、第１下りデータフレームに基づいて、第１信号対干渉雑音比（ＳＩＮＲ）および第１チャネル品質インジケータ（ＣＱＩ）を推定し、第１時刻後の第２時刻に送信された第２下りデータフレームに基づいて、第２ＳＩＮＲおよび第２ＣＱＩを推定し、第１ＣＱＩ、第２ＣＱＩ、第１ＳＩＮＲ、第２ＳＩＮＲのうちの１つまたは複数のパラメータに基づいて、ＭＣＳ変化量を計算して基地局にフィードバックすることを含む。【選択図】図１
2016163357.tif 000002
【特許請求の範囲】
【請求項１】
変調符号化方式（ＭＣＳ）を調整する方法であって、
ユーザ機器が、第１時刻に送信された第１下りデータフレームを受信し、前記第１下りデータフレームに基づいて、第１信号対干渉雑音比（ＳＩＮＲ）および第１チャネル品質インジケータ（ＣＱＩ）を推定し、
前記ユーザ機器が、受信された、前記第１時刻後の第２時刻に送信された第２下りデータフレームに基づいて、第２ＳＩＮＲおよび第２ＣＱＩを推定し、
前記ユーザ機器が、前記第１ＣＱＩ、前記第２ＣＱＩ、前記第１ＳＩＮＲ、前記第２ＳＩＮＲのうちの１つまたは複数のパラメータに基づいて、ＭＣＳ変化量を計算し、
前記ユーザ機器が、前記ＭＣＳ変化量を基地局にフィードバックする、ことを含むことを特徴とする方法。
【請求項２】
前記ユーザ機器が、前記第１ＣＱＩ、前記第２ＣＱＩ、前記第１ＳＩＮＲ、前記第２ＳＩＮＲのうちの１つまたは複数のパラメータに基づいて、ＭＣＳ変化量を計算することは、
前記ユーザ機器が、ＭＣＳ補正値とＣＱＩ値区間との補正対応関係を予め設定し、
前記ユーザ機器が、前記第１ＣＱＩおよび前記第２ＣＱＩに基づいて、ＣＱＩ変化量を計算し、
前記ユーザ機器が、前記ＣＱＩ変化量の属するＣＱＩ値区間を決定し、前記補正対応関係に基づいて、決定されたＣＱＩ値区間に対応するＭＣＳ補正値を前記ＭＣＳ変化量とする、ことを含むことを特徴とする請求項１に記載の方法。
【請求項３】
前記ユーザ機器が、前記第１ＣＱＩ、前記第２ＣＱＩ、前記第１ＳＩＮＲ、前記第２ＳＩＮＲのうちの１つまたは複数のパラメータに基づいて、ＭＣＳ変化量を計算することは、
前記ユーザ機器が、前記第１ＳＩＮＲおよび前記第２ＳＩＮＲに基づいて、ＳＩＮＲ変化量を計算し、
前記ユーザ機器が、前記ＳＩＮＲ変化量および所定の重みに基づいて、前記ＭＣＳ変化量を決定する、ことを含むことを特徴とする請求項１に記載の方法。
【請求項４】
前記ユーザ機器が、前記第１ＣＱＩ、前記第２ＣＱＩ、前記第１ＳＩＮＲ、前記第２ＳＩＮＲのうちの１つまたは複数のパラメータに基づいて、ＭＣＳ変化量を計算することは、
前記ユーザ機器が、前記第１ＣＱＩおよび前記第２ＣＱＩに基づいて、ＣＱＩ変化量を計算し、
前記ユーザ機器が、前記第１ＳＩＮＲおよび前記第２ＳＩＮＲに基づいて、ＳＩＮＲ変化量を計算し、
前記ユーザ機器が、前記ＣＱＩ変化量および前記ＳＩＮＲ変化量に基づいて、ＭＣＳ変化量を計算する、ことを含むことを特徴とする請求項１に記載の方法。
【請求項５】
前記基地局が、前記第２ＣＱＩおよび前記ＭＣＳ変化量を受信し、前記第２ＣＱＩおよび前記ＭＣＳ変化量を加算して、前記第２時刻後の第３時刻に送信される第３下りデータフレームに使用するＭＣＳを得る、ことをさらに含むことを特徴とする請求項１に記載の方法。
【請求項６】
前記ユーザ機器が、下りハイブリッド自動再送要求（ＨＡＲＱ）結果および前記第２ＣＱＩを前記基地局にフィードバックし、
前記基地局が、前記下りＨＡＲＱ結果に基づいて、前記第２ＣＱＩに対応するＳＩＮＲを補正し、補正されたＳＩＮＲおよび前記ＭＣＳ変化量を加算して、前記第２時刻後の第３時刻に送信される第３下りデータフレームに使用するＭＣＳを得る、ことをさらに含むことを特徴とする請求項１に記載の方法。
【請求項７】
前記ユーザ機器が、前記ＭＣＳ変化量を基地局にフィードバックすることは、前記ユーザ機器が、前記ＭＣＳ変化量が所定の閾値より大きいか否かを判断し、前記ＭＣＳ変化量が所定の閾値より大きい場合、前記ＭＣＳ変化量を前記基地局にフィードバックする、ことを含むことを特徴とする請求項１に記載の方法。
【請求項８】
前記基地局が、無線リソース制御（ＲＲＣ）シグナリングによって、前記ユーザ機器に対し、前記ＭＣＳ変化量を前記基地局にフィードバックするよう通知する、ことをさらに含むことを特徴とする請求項１〜７のいずれか１項に記載の方法。
【請求項９】
ユーザ機器であって、
第１時刻に送信された第１下りデータフレーム、および前記第１時刻後の第２時刻に送信された第２下りデータフレームを受信する受信モジュールと、
前記第１下りデータフレームに基づいて、第１信号対干渉雑音比（ＳＩＮＲ）および第１チャネル品質インジケータ（ＣＱＩ）を推定し、前記第２下りデータフレームに基づいて、第２ＳＩＮＲおよび第２ＣＱＩを推定する推定モジュールと、
前記第１ＣＱＩ、前記第２ＣＱＩ、前記第１ＳＩＮＲ、前記第２ＳＩＮＲのうちの１つまたは複数のパラメータに基づいて、ＭＣＳ変化量を計算する計算モジュールと、
前記ＭＣＳ変化量を基地局にフィードバックするフィードバックモジュールと、
を含むことを特徴とするユーザ機器。
【請求項１０】
前記計算モジュールは、ＭＣＳ補正値とＣＱＩ値区間との補正対応関係を予め設定し、前記第１ＣＱＩおよび前記第２ＣＱＩに基づいて、ＣＱＩ変化量を計算し、前記ＣＱＩ変化量の属するＣＱＩ値区間を決定し、前記補正対応関係に基づいて、決定されたＣＱＩ値区間に対応するＭＣＳ補正値を前記ＭＣＳ変化量とする、ことを特徴とする請求項９に記載のユーザ機器。
【請求項１１】
前記計算モジュールは、前記第１ＳＩＮＲおよび前記第２ＳＩＮＲに基づいて、ＳＩＮＲ変化量を計算し、前記ＳＩＮＲ変化量および所定の重みに基づいて、前記ＭＣＳ変化量を決定する、ことを特徴とする請求項９に記載のユーザ機器。
【請求項１２】
前記計算モジュールは、前記第１ＣＱＩおよび前記第２ＣＱＩに基づいて、ＣＱＩ変化量を計算し、前記第１ＳＩＮＲおよび前記第２ＳＩＮＲに基づいて、ＳＩＮＲ変化量を計算し、前記ＣＱＩ変化量および前記ＳＩＮＲ変化量に基づいて、ＭＣＳ変化量を計算する、ことを特徴とする請求項９に記載のユーザ機器。
【請求項１３】
前記フィードバックモジュールは、さらに、下りハイブリッド自動再送要求（ＨＡＲＱ）結果および前記第２ＣＱＩを前記基地局にフィードバックする、ことを特徴とする請求項９に記載のユーザ機器。
【請求項１４】
前記ＭＣＳ変化量が所定の閾値より大きいか否かを判断し、前記ＭＣＳ変化量が前記所定の閾値より大きい場合、前記ＭＣＳ変化量を前記基地局にフィードバックするよう前記フィードバックモジュールを制御する制御モジュールをさらに含むことを特徴とする請求項９に記載のユーザ機器。
【請求項１５】
前記受信モジュールは、さらに、無線リソース制御（ＲＲＣ）シグナリングを受信し、
前記制御モジュールは、さらに、前記ＲＲＣシグナリングに従って、前記ＭＣＳ変化量を前記基地局にフィードバックするよう前記フィードバックモジュールを制御する、
ことを特徴とする請求項１４に記載のユーザ機器。
【請求項１６】
前記フィードバックモジュールは、物理上り制御チャネル（ＰＵＣＣＨ）または物理上り共有チャネル（ＰＵＳＣＨ）において、前記ＭＣＳ変化量を前記基地局にフィードバックする、ことを特徴とする請求項９〜１５のいずれか１項に記載のユーザ機器。
【請求項１７】
基地局であって、
ユーザ機器からフィードバックされた変調符号化方式（ＭＣＳ）変化量を受信する受信モジュールと、
前記ＭＣＳ変化量に基づいて、前記ユーザ機器への下りデータに使用するＭＣＳを調整する調整モジュールと、
前記調整モジュールにより調整されたＭＣＳに従って、前記ユーザ機器への下りデータを変調符号化し、変調符号化された下りデータを前記ユーザ機器に送信する送信モジュールと、を含むことを特徴とする基地局。
【請求項１８】
前記受信モジュールは、さらに、前記ユーザ機器からフィードバックされたチャネル品質インジケータ（ＣＱＩ）を受信し、
前記調整モジュールは、前記ＣＱＩ及び前記ＭＣＳ変化量を加算して、前記ユーザ機器への下りデータに使用するＭＣＳを得る、ことを特徴とする請求項１７に記載の基地局。
【請求項１９】
前記受信モジュールは、さらに、前記ユーザ機器からフィードバックされた下りハイブリッド自動再送要求（ＨＡＲＱ）結果およびチャネル品質インジケータ（ＣＱＩ）を受信し、
前記調整モジュールは、前記下りＨＡＲＱ結果に基づいて、前記ＣＱＩに対応する信号対干渉雑音比（ＳＩＮＲ）を補正し、補正されたＳＩＮＲおよび前記ＭＣＳ変化量を加算して、前記ユーザ機器への下りデータに使用するＭＣＳを得る、ことを特徴とする請求項１７に記載の基地局。
【請求項２０】
前記下りＨＡＲＱ結果に基づいて、パケット誤り率を統計し、前記パケット誤り率が所定の閾値より大きい場合、前記送信モジュールへ制御指令を送信する制御モジュールをさらに含み、
前記送信モジュールは、さらに、前記制御指令に従って、下り制御シグナリングを送信して、前記ユーザ機器に対し、前記ＭＣＳ変化量をフィードバックするよう通知する、
ことを特徴とする請求項１９に記載の基地局。
【発明の詳細な説明】
【技術分野】
【０００１】
本発明は、移動通信技術に関し、特に、変調符号化方式（ＭＣＳ）を調整する方法、ユーザ機器、および基地局に関する。
【背景技術】
【０００２】
無線通信システムでは、基地局が下り伝送の変調符号化方式（ＭＣＳ）を決定するために、ユーザ機器（ＵＥ）が受信信号の信号対干渉雑音比（ＳＩＮＲ）を推算して、チャネル品質インジケータ（ＣＱＩ）をフィードバックする必要があると決定し、上りリソースによってＣＱＩを基地局にフィードバックする必要がある。基地局は、受信されたＣＱＩに基づいて、下り伝送用のＭＣＳを決定する。これは、ＣＱＩフィードバックメカニズムと呼ばれる。上述したＭＣＳを決定する方式は、シングルユーザ伝送のシナリオに適用可能である。
【発明の概要】
【発明が解決しようとする課題】
【０００３】
しかしながら、マルチユーザ伝送の応用シナリオについて、ＵＥは、ＣＱＩを決定する際に、実際の下りデータ伝送時の自セルまたは他セルにおける他のＵＥによる干渉を考慮することができないので、基地局がフィードバックされたＣＱＩに基づいて決定したマルチユーザ伝送用のＭＣＳは、実際の下りデータ伝送時にＵＥが採用可能な理想的なＭＣＳと相違が大きくなり、基地局による下りスケジューリングの正確度が低下し、一部分のユーザの周波数利用率も低下する可能性がある。
【０００４】
これに鑑み、本発明の実施例は、ＭＣＳを調整する方法を提供しており、下りスケジューリングの正確性を向上させることを目的とする。これに応じて、システムスループットおよびユーザスループットもある程度で向上することができる。
【課題を解決するための手段】
【０００５】
具体的に、本発明の実施例の解決手段は、下記のように実現される。
ＭＣＳを調整する方法であって、ユーザ機器が、第１時刻に送信された第１下りデータフレームを受信し、前記第１下りデータフレームに基づいて、第１信号対干渉雑音比（ＳＩＮＲ）および第１チャネル品質インジケータ（ＣＱＩ）を推定し、前記ユーザ機器が、受信された、前記第１時刻後の第２時刻に送信された第２下りデータフレームに基づいて、第２ＳＩＮＲおよび第２ＣＱＩを推定し、前記ユーザ機器が、前記第１ＣＱＩ、前記第２ＣＱＩ、前記第１ＳＩＮＲ、前記第２ＳＩＮＲのうちの１つまたは複数のパラメータに基づいて、ＭＣＳ変化量を計算し、前記ユーザ機器が、前記ＭＣＳ変化量を基地局にフィードバックする、ことを含む。
【０００６】
前記ユーザ機器が、前記第１ＣＱＩ、前記第２ＣＱＩ、前記第１ＳＩＮＲ、前記第２ＳＩＮＲのうちの１つまたは複数のパラメータに基づいて、ＭＣＳ変化量を計算することは、前記ユーザ機器が、ＭＣＳ補正値とＣＱＩ値区間との補正対応関係を予め設定し、前記ユーザ機器が、前記第１ＣＱＩおよび前記第２ＣＱＩに基づいて、ＣＱＩ変化量を計算し、前記ユーザ機器が、前記ＣＱＩ変化量の属するＣＱＩ値区間を決定し、前記補正対応関係に基づいて、決定されたＣＱＩ値区間に対応するＭＣＳ補正値を前記ＭＣＳ変化量とする、ことを含む。
【０００７】
前記ユーザ機器が、前記第１ＣＱＩ、前記第２ＣＱＩ、前記第１ＳＩＮＲ、前記第２ＳＩＮＲのうちの１つまたは複数のパラメータに基づいて、ＭＣＳ変化量を計算することは、前記ユーザ機器が、前記第１ＳＩＮＲおよび前記第２ＳＩＮＲに基づいて、ＳＩＮＲ変化量を計算し、前記ユーザ機器が、前記ＳＩＮＲ変化量および所定の重みに基づいて、前記ＭＣＳ変化量を決定する、ことを含む。
【０００８】
前記ユーザ機器が、前記第１ＣＱＩ、前記第２ＣＱＩ、前記第１ＳＩＮＲ、前記第２ＳＩＮＲのうちの１つまたは複数のパラメータに基づいて、ＭＣＳ変化量を計算することは、前記ユーザ機器が、前記第１ＣＱＩおよび前記第２ＣＱＩに基づいて、ＣＱＩ変化量を計算し、前記ユーザ機器が、前記第１ＳＩＮＲおよび前記第２ＳＩＮＲに基づいて、ＳＩＮＲ変化量を計算し、前記ユーザ機器が、前記ＣＱＩ変化量および前記ＳＩＮＲ変化量に基づいて、ＭＣＳ変化量を計算する、ことを含む。
【０００９】
該方法は、前記基地局が、前記第２ＣＱＩおよび前記ＭＣＳ変化量を受信し、前記第２ＣＱＩおよび前記ＭＣＳ変化量を加算して、前記第２時刻後の第３時刻に送信される第３下りデータフレームに使用するＭＣＳを得る、ことをさらに含む。
【００１０】
該方法は、前記ユーザ機器が、下りハイブリッド自動再送要求（ＨＡＲＱ）結果および前記第２ＣＱＩを前記基地局にフィードバックし、前記基地局が、前記下りＨＡＲＱ結果に基づいて、前記第２ＣＱＩに対応するＳＩＮＲを補正し、補正されたＳＩＮＲおよび前記ＭＣＳ変化量を加算して、前記第２時刻後の第３時刻に送信される第３下りデータフレームに使用するＭＣＳを得る、ことをさらに含む。
【００１１】
前記ユーザ機器が、前記ＭＣＳ変化量を基地局にフィードバックすることは、前記ユーザ機器が、前記ＭＣＳ変化量が所定の閾値より大きいか否かを判断し、前記ＭＣＳ変化量が所定の閾値より大きい場合、前記ＭＣＳ変化量を前記基地局にフィードバックする、ことを含む。
【００１２】
該方法は、前記基地局が、無線リソース制御（ＲＲＣ）シグナリングによって、前記ユーザ機器に対し、前記ＭＣＳ変化量を前記基地局にフィードバックするよう通知する、ことをさらに含む。
【００１３】
ユーザ機器であって、第１時刻に送信された第１下りデータフレーム、および前記第１時刻後の第２時刻に送信された第２下りデータフレームを受信する受信モジュールと、前記第１下りデータフレームに基づいて、第１信号対干渉雑音比（ＳＩＮＲ）および第１チャネル品質インジケータ（ＣＱＩ）を推定し、前記第２下りデータフレームに基づいて、第２ＳＩＮＲおよび第２ＣＱＩを推定する推定モジュールと、前記第１ＣＱＩ、前記第２ＣＱＩ、前記第１ＳＩＮＲ、前記第２ＳＩＮＲのうちの１つまたは複数のパラメータに基づいて、ＭＣＳ変化量を計算する計算モジュールと、前記ＭＣＳ変化量を基地局にフィードバックするフィードバックモジュールと、を含む。
【００１４】
前記計算モジュールは、ＭＣＳ補正値とＣＱＩ値区間との補正対応関係を予め設定し、前記第１ＣＱＩおよび前記第２ＣＱＩに基づいて、ＣＱＩ変化量を計算し、前記ＣＱＩ変化量の属するＣＱＩ値区間を決定し、前記補正対応関係に基づいて、決定されたＣＱＩ値区間に対応するＭＣＳ補正値を前記ＭＣＳ変化量とする。
【００１５】
前記計算モジュールは、前記第１ＳＩＮＲおよび前記第２ＳＩＮＲに基づいて、ＳＩＮＲ変化量を計算し、前記ＳＩＮＲ変化量および所定の重みに基づいて、前記ＭＣＳ変化量を決定する。
【００１６】
前記計算モジュールは、前記第１ＣＱＩおよび前記第２ＣＱＩに基づいて、ＣＱＩ変化量を計算し、前記第１ＳＩＮＲおよび前記第２ＳＩＮＲに基づいて、ＳＩＮＲ変化量を計算し、前記ＣＱＩ変化量および前記ＳＩＮＲ変化量に基づいて、ＭＣＳ変化量を計算する。
【００１７】
前記フィードバックモジュールは、さらに、下りハイブリッド自動再送要求（ＨＡＲＱ）結果および前記第２ＣＱＩを前記基地局にフィードバックする。
【００１８】
該ユーザ機器は、前記ＭＣＳ変化量が所定の閾値より大きいか否かを判断し、前記ＭＣＳ変化量が前記所定の閾値より大きい場合、前記ＭＣＳ変化量を前記基地局にフィードバックするよう前記フィードバックモジュールを制御する制御モジュールをさらに含む。
【００１９】
前記受信モジュールは、さらに、無線リソース制御（ＲＲＣ）シグナリングを受信し、前記制御モジュールは、さらに、前記ＲＲＣシグナリングに従って、前記ＭＣＳ変化量を前記基地局にフィードバックするよう前記フィードバックモジュールを制御する。前記フィードバックモジュールは、物理上り制御チャネル（ＰＵＣＣＨ）または物理上り共有チャネル（ＰＵＳＣＨ）において、前記ＭＣＳ変化量を前記基地局にフィードバックする。
【００２０】
基地局であって、ユーザ機器からフィードバックされた変調符号化方式（ＭＣＳ）変化量を受信する受信モジュールと、前記ＭＣＳ変化量に基づいて、前記ユーザ機器への下りデータに使用するＭＣＳを調整する調整モジュールと、前記調整モジュールにより調整されたＭＣＳに従って、前記ユーザ機器への下りデータを変調符号化し、変調符号化された下りデータを前記ユーザ機器に送信する送信モジュールと、を含む。
【００２１】
前記受信モジュールは、さらに、前記ユーザ機器からフィードバックされたチャネル品質インジケータ（ＣＱＩ）を受信し、前記調整モジュールは、前記ＣＱＩ及び前記ＭＣＳ変化量を加算して、前記ユーザ機器への下りデータに使用するＭＣＳを得る。
【００２２】
前記受信モジュールは、さらに、前記ユーザ機器からフィードバックされた下りハイブリッド自動再送要求（ＨＡＲＱ）結果およびチャネル品質インジケータ（ＣＱＩ）を受信し、前記調整モジュールは、前記下りＨＡＲＱ結果に基づいて、前記ＣＱＩに対応する信号対干渉雑音比（ＳＩＮＲ）を補正し、補正されたＳＩＮＲおよび前記ＭＣＳ変化量を加算して、前記ユーザ機器への下りデータに使用するＭＣＳを得る。
【００２３】
該基地局は、前記下りＨＡＲＱ結果に基づいて、パケット誤り率を統計し、前記パケット誤り率が所定の閾値より大きい場合、前記送信モジュールへ制御指令を送信する制御モジュールをさらに含み、前記送信モジュールは、さらに、前記制御指令に従って、下り制御シグナリングを送信して、前記ユーザ機器に対し、前記ＭＣＳ変化量をフィードバックするよう通知する。
【発明の効果】
【００２４】
上述した解決手段からわかるように、本発明の実施例で提供された移動通信システムにおけるＭＣＳを調整する方法、ユーザ機器、および基地局によれば、ＵＥにおいてＭＣＳ変化量を計算して、該ＭＣＳ変化量を基地局にフィードバックすることにより、基地局は、ＵＥで推定されたチャネル品質偏差を知ることができる。さらに、基地局は、これにより、実際に下りデータを伝送する際に使用するＭＣＳを動的に調整することが可能になり、後続の伝送におけるＭＣＳの正確性を効果的に改善し、システムスループットおよびユーザスループットを向上させることができる。
【図面の簡単な説明】
【００２５】
【図１】本発明の一実施例における変調符号化方式を調整する方法のフローの模式図である。
【図２】本発明の一実施例における変調符号化方式を調整する方法のシーケンス図である。
【図３】本発明の他の実施例における変調符号化方式を調整する方法のフローの模式図である。
【図４】本発明の別の実施例における変調符号化方式を調整する方法のフローの模式図である。
【図５】本発明の一実施例における変調符号化方式を調整する方法のシグナリングやり取り図である。
【図６】本発明のもう１つの実施例における変調符号化方式を調整する方法のフローの模式図である。
【図７】本発明の一実施例における基地局が変調符号化方式を調整する方法のフローの模式図である。
【図８】本発明の一実施例におけるユーザ機器の構成の模式図である。
【図９】本発明の一実施例における基地局の構成の模式図である。
【図１０】本発明の一実施例の実現環境の模式図である。
【図１１】本発明の一実施例で提供されたＭＣＳを調整する方法を採用する場合と、ＭＣＳを調整する方法を採用しない場合とのユーザスループットの比較の模式図である。
【図１２】本発明の他の実施例で提供されたＭＣＳを調整する方法を採用する場合と、ＭＣＳを調整する方法を採用しない場合との性能の比較の模式図である。
【発明を実施するための形態】
【００２６】
本発明の目的、解決手段、およびメリットをさらに明確にするために、以下、図面を参照しながら、実施例を挙げて、本発明をさらに詳しく説明する。
【００２７】
図１は、本発明の一実施例におけるＭＣＳを調整する方法のフローの模式図である。この方法は、下記のステップを含む。ステップ１０１で、ＵＥは、第１時刻に送信された第１下りデータフレームを受信し、第１下りデータフレームに基づいて、第１ＳＩＮＲおよび第１ＣＱＩを推定する。ステップ１０２で、ＵＥは、受信された第２下りデータフレームに基づいて、第２ＳＩＮＲおよび第２ＣＱＩを推定する。ここで、第２下りデータフレームは、前記第１時刻後の第２時刻に送信されたものである。ステップ１０３で、ＵＥは、第１ＣＱＩ、第２ＣＱＩ、第１ＳＩＮＲ、第２ＳＩＮＲのうちの１つまたは複数のパラメータに基づいて、ＭＣＳ変化量を計算する。ステップ１０４で、ＵＥは、ＭＣＳ変化量を基地局にフィードバックする。
【００２８】
上記のステップ１０１〜１０２では、第１時刻に送信された第１下りデータフレーム、および第２時刻に送信された第２下りデータフレームに基づいて、ＵＥは、第１ＳＩＮＲおよび第１ＣＱＩ、並びに、第２ＳＩＮＲおよび第２ＣＱＩをそれぞれ推定することができる。指摘すべきものとして、ＵＥは、この２つの時刻において、同様の方法によって推定することができる。
【００２９】
具体的な実現において、ＳＩＮＲは、受信された有用信号の強度と受信された干渉信号および雑音の強度との比率であってもよい。下り伝送において、干渉信号は、他の基地局からの干渉信号であってもよい。ＣＱＩは、ＵＥに割り当てられたリソースブロック（ＲＢ）における下り伝送リンクのチャネル品質を示すためのものであり、ＭＣＳに対応するＣＱＩインデックスで表すことができる。
【００３０】
指摘すべきものとして、本発明の実施例に係るＭＣＳは、変調と符号化との組み合わせの方式であり、即ち、１つのＭＣＳは、変調方式および符号化方式を含む。
【００３１】
例えば、表１には、４ビットでフィードバックされたＣＱＩインデックスとＭＣＳとの対応関係表が示されている。ここで、ＣＱＩインデックスの値は、１〜１５であり、それぞれ、１５種類のＭＣＳに対応する。ＣＱＩインデックスまたは各ＭＣＳそれぞれは、下り伝送リンクのチャネル品質を表すことができる。具体的に、０は、チャネル品質が最も悪いことを表し、１５は、チャネル品質が最も良いことを表す。
【００３２】
【表１】
2016163357.tif 000003
【００３３】
本発明の一実施例において、ＵＥは、下り参照信号（ＲＳ）に基づいて、各ＲＢにおけるＳＩＮＲを計算することができる。該ＲＳは、セル参照信号（ＣＲＳ）であってもよい。
【００３４】
ＳＩＮＲを計算する具体的な方式は、数式１に示す通りである。
【数１】
2016163357.tif 000004
ここで、ＳＩＮＲｋは、ＵＥがｋ番目のＲＢにおいて得たＳＩＮＲであり、Ｍは、ＲＢの総数であり、ＰＲＳＲＰは、ＲＳの受信電力であり、ＰＩｎｔは、干渉電力であり、即ち、ＲＳが使用しているリソースブロックにおいて受信された隣接セルの信号電力の和であり、ＰＮは、雑音電力である。
【００３５】
無線チャネルの周波数選択性に起因して、複数のＲＢが割り当てられたユーザについて、各ＲＢそれぞれは、異なるチャネル品質に対応する。ＬＴＥでは、各伝送時間間隔内に、同一のユーザに割り当てられた全てのＲＢにおいて、同様のＭＣＳを使用すると規定されている。このため、ある特定のユーザに対して、該ユーザに割り当てられた全てのＲＢに対応するチャネル品質を平均化して、等価ＣＱＩを得る必要がある。ＬＴＥにおいて、平均化して得られたこの等価ＣＱＩは、さらに、サブバンドＣＱＩおよびブロードバンドＣＱＩに分けられる。ここで、各サブバンドおよびブロードバンドそれぞれは、複数のＲＢを含み、サブバンドＣＱＩおよびブロードバンドＣＱＩとは、対応の個数のＲＢにおける等価ＣＱＩを指す。ここで、ブロードバンドＣＱＩ報告とは、ＵＥがシステム帯域幅全体について１つのＣＱＩを報告し、即ち、システム帯域幅全体について１つのＣＱＩの値をフィードバックすることを指す。
【００３６】
本発明の一実施例において、ステップ１０１および１０２における等価ＣＱＩを計算する具体的な方式は、上記の数式１によって、各ＲＢにおけるＳＩＮＲを計算し、等価平均関数によって、該ＵＥに割り当てられた全てのＲＢにおける等価ＳＩＮＲを計算し、該等価ＳＩＮＲに基づいて、目標ブロック誤り率（ＢＬＥＲ）に最も近いＭＣＳを見つける、ことを含む。このように、等価ＣＱＩは、即ち、見つけられたＭＣＳのインデックスであり、また、等価ＳＩＮＲも決定された。
【００３７】
ＬＴＥにおける常用の等価平均関数は、指数関数的な有効信号対雑音比マッピング（ＥＥＳＭ）および相互情報有効信号対雑音比マッピング（ＭＩ−ＥＳＭ）の２つを含む。ＥＥＳＭを例として、等価ＳＩＮＲの計算式は、次の数式２である。
【００３８】
【数２】
2016163357.tif 000005
ここで、ＳＩＮＲｅｆｆは、等価ＳＩＮＲであり、βは、各ＭＣＳごとに、リンクレベル―システムレベルシミュレーションによって得られた最適化パラメータである。例えば、表２には、βとＭＣＳとの対応関係表、即ち、各ＭＣＳそれぞれに対応して得られるβの経験値が示されている。
【００３９】
【表２】
2016163357.tif 000006
【００４０】
すると、ＥＥＳＭにおける対応の各ＭＣＳごとに、相応のβ値を用いて、数式２によって、各ＭＣＳそれぞれに対応する等価ＳＩＮＲを得ることができる。そして、ＳＩＮＲ−ＢＬＥＲマッピング表によって、目標ＢＬＥＲを満足するＭＣＳを見つける。
【００４１】
ここで、ＳＩＮＲ−ＢＬＥＲマッピング表は、ＬＴＥのリンクレベルシミュレーションプラットフォームで得られたＳＩＮＲ−ＢＬＥＲシミュレーション曲線であってもよい。通常、目標ＢＬＥＲの値は、０.１である。複数のＭＣＳが条件を満足する場合、スペクトル効率が最大となるＭＣＳを選択して、そのインデックスをＣＱＩインデックスとするようにしてもよい。
【００４２】
ここから分かるように、上記の方式によって、下りデータに基づいて、等価ＳＩＮＲを決定することができ、それをステップ１０１における第１ＳＩＮＲおよびステップ１０２における第２ＳＩＮＲとする。そして、一定の目標ＢＬＥＲを満足させることにより、選択されるＭＣＳを決定することができ、それに対応するインデックスをステップ１０１における第１ＣＱＩおよびステップ１０２における第２ＣＱＩとする。
【００４３】
１つの具体的な実現では、数式３によって、ステップ１０３におけるＭＣＳ変化量を計算することができる。
【００４４】
［数式３］
ΔＭＣＳ＝ｆ（ＣＱＩ１，ＣＱＩ２，ＳＩＮＲ１，ＳＩＮＲ２）
ここで、ΔＭＣＳは、ＭＣＳ変化量であり、ＣＱＩ１、ＣＱＩ２、ＳＩＮＲ１、およびＳＩＮＲ２は、それぞれ、第１ＣＱＩ、第２ＣＱＩ、第１ＳＩＮＲ、第２ＳＩＮＲを代表する。
【００４５】
ここで、第１ＳＩＮＲおよび第１ＣＱＩは、推定された、第２下りデータフレームを伝送するためのチャネル品質パラメータを代表し、第２ＳＩＮＲおよび第２ＣＱＩは、実際に第２下りデータフレームを伝送する際のチャネル品質パラメータを代表する。つまり、ＵＥに伝送しようとする下りデータから見れば、第１ＳＩＮＲおよび第１ＣＱＩは、推定値と認識することができ、第２ＳＩＮＲおよび第２ＣＱＩは、実際値と認識することができる。
【００４６】
すると、ステップ１０３では、第１ＣＱＩ、第２ＣＱＩ、第１ＳＩＮＲ、第２ＳＩＮＲのうちの１つまたは複数のパラメータに基づいて、ＭＣＳ変化量と呼ばれる上記の推定値と実際値との差を計算する。
【００４７】
ステップ１０４において、ＵＥがＭＣＳ変化量を基地局にフィードバックするか否かは、上位層シグナリング（例えば、無線リソース制御（ＲＲＣ）シグナリング）によって半静的に設定され、または基地局で動的に設定されてもよい。
【００４８】
具体的に実現する際に、ＵＥがＭＣＳ変化量をフィードバックすることは、下記の２つのフィードバック方式を採用することができる。
【００４９】
（１）第２ＣＱＩのフィードバック方式によって、ＭＣＳ変化量をフィードバックする。
例えば、物理上り制御チャネル（ＰＵＣＣＨ）において周期的にＣＱＩをフィードバックしてもよく、または、物理上り共有チャネル（ＰＵＳＣＨ）において非周期的にＣＱＩをフィードバックしてもよい。フィードバックの周期および周波数リソースは、基地局で設定される。すると、ＭＣＳ変化量をフィードバックする際に、基地局は、ＣＱＩのフィードバックと同じになる周期で、同一の物理上りチャネル（ＰＵＣＣＨまたはＰＵＳＣＨ）を使用してフィードバックするように設定することができる。
【００５０】
（２）下りハイブリッド自動再送要求（ＨＡＲＱ）結果のフィードバック方式によって、ＭＣＳ変化量をフィードバックする。
下りＨＡＲＱ結果は、肯定応答（ＡＣＫ）および否定応答（ＮＡＣＫ）の２つを含む。ＵＥは、下りデータを受信すると、復調を行い、復調に成功した場合、基地局へＡＣＫをフィードバックし、復調に成功しなかった場合、基地局へＮＡＣＫをフィードバックする。
【００５１】
下りデータパケットのＨＡＲＱ  ＡＣＫ／ＮＡＣＫ結果は、ＰＵＣＣＨにおいて１ビットまたは２ビットを使用してフィードバックしてもよい。これに類似して、ＭＣＳ変化量をフィードバックする際にも、ＰＵＣＣＨにおいて１つまたは複数のビットを使用してフィードバックしてもよい。
【００５２】
典型的なシナリオでは、例えば、ＵＥが高速移動にある場合、例えば高速移動によるドップラー効果に起因して、第１下りデータの伝送時と第２下りデータの伝送時とのチャネル品質の変化が大きくなり、推定値（第１ＳＩＮＲおよび第１ＣＱＩ）と実際値（第２ＳＩＮＲおよび第２ＣＱＩ）との偏差が大きくなり、この場合、ＭＣＳ変化量を、基地局にフィードバックすると、後続の下りデータ伝送時に採用するＭＣＳの補正に使用することができる。
【００５３】
図２は、本発明の一実施例における変調符号化方式を調整する方法のシーケンス図である。図２を参照すると、シーケンスの前後関係に従って、ＵＥと基地局とのやり取りは、下記の通りである。
【００５４】
下りサブフレームｎ１において、ＵＥは、第１下りデータサブフレームを受信し、ステップ１０１によって、第１ＳＩＮＲ（ＳＩＮＲ１）および第１ＣＱＩ（ＣＱＩ１）を計算し、上りサブフレームｎ２において、ＵＥは、基地局へ第１ＣＱＩ（ＣＱＩ１）をフィードバックし、下りサブフレームｎ３において、ＵＥは、第２下りデータサブフレームを受信し、ステップ１０２によって、第２ＳＩＮＲ（ＳＩＮＲ２）および第２ＣＱＩ（ＣＱＩ２）を計算し、ステップ１０３によって、さらに、ＭＣＳ変化量（ΔＭＣＳ）を得、上りサブフレームｎ４において、ステップ１０４によって、ＵＥは、基地局へＭＣＳ変化量（ΔＭＣＳ）をフィードバックし、下りサブフレームｎ５において、基地局は、受信されたＭＣＳ変化量に基づいて、ＭＣＳを調整してから、調整されたＭＣＳに従って変調符号化された下りデータをＵＥへ送信する。
【００５５】
ここで、ｎ１、ｎ２、ｎ３、ｎ４、およびｎ５は、それぞれ、サブフレームの順番を代表し、かつ順次に増加したものである。例えば、時分割複信（ＴＤＤ）システムでは、ｎ２＝ｎ１＋４であり、ｎ４＝ｎ３＋４である。これらの順番の具体的な値は、本発明の実施例において具体的に限定されない。
【００５６】
本発明の実施例では、受信された第１下りデータフレームに基づいて、第１ＳＩＮＲおよび第１ＣＱＩを推定し、受信された第２下りデータフレームに基づいて、第２ＳＩＮＲおよび第２ＣＱＩを推定し、第１ＣＱＩ、第２ＣＱＩ、第１ＳＩＮＲ、第２ＳＩＮＲのうちの１つまたは複数のパラメータに基づいて、ＭＣＳ変化量を計算し、ＭＣＳ変化量を基地局にフィードバックすることにより、基地局は、ＵＥで推定されたチャネル品質偏差を知ることができ、実際に下りデータを伝送する際に使用するＭＣＳを動的に調整することが可能になり、後続の伝送におけるＭＣＳの正確性を効果的に改善し、システムスループットおよびユーザスループットを向上させることができる。
【００５７】
図３は、本発明の他の実施例における変調符号化方式を調整する方法のフローの模式図である。この方法は、第１ＣＱＩおよび第２ＣＱＩに基づいて、ＭＣＳ変化量を得る。具体的に、図３を参照すると、この方法は、下記のステップを含む。
【００５８】
ステップ３００で、ＵＥは、ＭＣＳ補正値とＣＱＩ値区間との補正対応関係を予め設定する。
【００５９】
ここで、ＭＣＳ補正値は、各種の可能なＭＣＳ変化量の値を代表し、ＣＱＩ値区間は、ＣＱＩ変化量（ΔＣＱＩと表される）の値の範囲を代表する。ＭＣＳ補正値とＣＱＩ値区間とは、一々対応する。
【００６０】
該ＭＣＳ補正値とＣＱＩ値区間との補正対応関係は、ＵＥの移動速度に応じて定めることができる。例えば、移動速度が高いほど、該補正対応関係におけるＭＣＳ補正値の可能値を多くする。移動速度が低いほど、ＵＥが静止し、遊牧し、または低速移動する場合を含めて、該補正対応関係におけるＭＣＳ補正値の可能値を減少してもよい。
【００６１】
一実施例において、ＭＣＳ補正値とＣＱＩ値区間との補正対応関係は、表３に示す通りである。ここで、ＭＣＳ補正値には、２つの値、即ち、＋１および−１があるため、ＭＣＳ変化量の値にもこの２つの可能値がある。この場合、ＭＣＳ変化量のフィードバックには、１ビットの伝送リソースが必要である。
【００６２】
【表３】
2016163357.tif 000007
【００６３】
他の実施例において、ＭＣＳ補正値とＣＱＩ値区間との補正対応関係は、表４に示す通りである。ここで、ＭＣＳ補正値には、４つの値、即ち、＋２、＋１、−１、および−２があるため、ＭＣＳ変化量の値にもこの４つの可能値がある。この場合、ＭＣＳ変化量のフィードバックには、２ビットの伝送リソースが必要である。
【００６４】
【表４】
2016163357.tif 000008
【００６５】
別の実施例において、ＭＣＳ補正値とＣＱＩ値区間との補正対応関係は、表５に示す通りである。ここで、ＭＣＳ補正値には、８つの可能値がある。この場合、ＭＣＳ変化量のフィードバックには、３ビットの伝送リソースが必要である。
【００６６】
【表５】
2016163357.tif 000009
【００６７】
ステップ３０１で、ＵＥは、第１時刻に送信された第１下りデータフレームを受信し、第１下りデータフレームに基づいて、第１ＳＩＮＲおよび第１ＣＱＩを推定する。このステップは、ステップ１０１と同様であり、ここで説明を省略する。
【００６８】
ステップ３０２で、ＵＥは、受信された第２下りデータフレームに基づいて、第２ＳＩＮＲおよび第２ＣＱＩを推定する。ここで、第２下りデータフレームは、前記第１時刻後の第２時刻に送信されたものである。このステップは、ステップ１０２と同様であり、ここで説明を省略する。
【００６９】
ステップ３０３で、ＵＥは、第１ＣＱＩおよび第２ＣＱＩに基づいて、ＣＱＩ変化量を計算する。ここで、第１ＣＱＩおよび第２ＣＱＩは、それぞれ、ＣＱＩインデックス値を代表するため、ＣＱＩ変化量ΔＣＱＩは、２つのＣＱＩインデックス値の間の差である。
【００７０】
ステップ３０４で、ＵＥは、ＣＱＩ変化量の属するＣＱＩ値区間を決定する。
【００７１】
ステップ３００で設定されたＭＣＳ補正値とＣＱＩ値区間との補正対応関係における複数のＣＱＩ値区間に基づいて、ステップ３０３で得られたＣＱＩ変化量の値がどのＣＱＩ値区間に属するかを判断する。
【００７２】
ステップ３０５で、ＵＥは、補正対応関係に基づいて、決定されたＣＱＩ値区間に対応するＭＣＳ補正値をＭＣＳ変化量とする。
【００７３】
ステップ３０６で、ＵＥは、得られたＭＣＳ変化量を基地局にフィードバックする。例えば、ＣＱＩ変化量ΔＣＱＩ＝２である場合、表３に示す補正対応関係を採用すると、対応のＣＱＩ値区間は、ΔＣＱＩ＞０であり、対応のＭＣＳ補正値である＋１を見つけたため、ＭＣＳ変化量の値は、即ち、＋１であり、該ＭＣＳ変化量を基地局にフィードバックする。
【００７４】
基地局は、該ＭＣＳ変化量を受信すると、その前に設定されたＭＣＳを増加させる必要があることを知ることができ、例えば、表１における次のスペクトル効率がより高いＭＣＳを選択する。
【００７５】
図４は、本発明の別の実施例における変調符号化方式を調整する方法のフローの模式図である。この方法は、第１ＳＩＮＲおよび第２ＳＩＮＲに基づいて、ＭＣＳ変化量を得る。具体的に、図４を参照すると、この方法は、下記のステップを含む。
【００７６】
ステップ４０１で、ＵＥは、第１時刻に送信された第１下りデータフレームを受信し、第１下りデータフレームに基づいて、第１ＳＩＮＲおよび第１ＣＱＩを推定する。このステップは、ステップ１０１と同様であり、ここで説明を省略する。
【００７７】
ステップ４０２で、ＵＥは、受信された第２下りデータフレームに基づいて、第２ＳＩＮＲおよび第２ＣＱＩを推定する。ここで、第２下りデータフレームは、前記第１時刻後の第２時刻に送信されたものである。このステップは、ステップ１０２と同様であり、ここで説明を省略する。
【００７８】
ステップ４０３で、ＵＥは、第１ＳＩＮＲおよび第２ＳＩＮＲに基づいて、ＳＩＮＲ変化量を計算する。
【００７９】
ステップ４０４で、ＵＥは、ＳＩＮＲ変化量および所定の重みに基づいて、ＭＣＳ変化量を決定する。
【００８０】
ＳＩＮＲ変化量がΔＳＩＮＲと表され、所定の重みがlと表される場合、下記の方式によって、ＭＣＳ変化量ΔＭＣＳを計算することができる。
【００８１】
［数式４］
ΔＭＣＳ＝λ×ΔＳＩＮＲ
ここで、所定の重みの値の範囲は、０＜λ＜１である。
【００８２】
例えば、ステップ４０３でΔＳＩＮＲ＝３ｄＢ、λ＝１／３が得られた場合、ΔＭＣＳ＝１となる。
【００８３】
ステップ４０５で、ＵＥは、得られたＭＣＳ変化量を基地局にフィードバックする。
【００８４】
図５は、本発明の一実施例における変調符号化方式を調整する方法のシグナリングやり取り図である。図５を参照すると、この方法は、下記のステップを含む。
【００８５】
ステップ５００で、下り制御シグナリングによって、ＵＥに対し、ＭＣＳ変化量をフィードバックするよう通知する。
【００８６】
例えば、基地局は、物理下り制御チャネル（ＰＤＣＣＨ）において、指示ビットを設定する。ＵＥは、該指示ビットを受信すると、該指示ビットから、ＭＣＳ変化量をフィードバックする必要があるか否かを知る。この設定は、動的な設定であってもよく、ＵＥは、該指示ビットを受信して始めて、ＭＣＳ変化量の計算を行う。
【００８７】
例えば、基地局は、下りＨＡＲＱ結果に基づいて、ＢＬＥＲを統計し、該ＢＬＥＲが所定の閾値より大きい場合、ＰＤＣＣＨにおいて指示ビットを設定するようにしてもよい。
【００８８】
ステップ５０１で、基地局は、第１時刻に、ＵＥへ第１下りデータフレームを送信する。
【００８９】
ステップ５０２で、ＵＥは、第１下りデータフレームを受信すると、その中から、第１ＳＩＮＲおよび第１ＣＱＩを推定する。
【００９０】
ステップ５０３で、基地局は、第２時刻に、ＵＥへ第２下りデータフレームを送信する。
【００９１】
ステップ５０４で、ＵＥは、第２下りデータフレームを受信すると、その中から、第２ＳＩＮＲおよび第２ＣＱＩを推定し、さらに、ＭＣＳ変化量を得る。
【００９２】
ステップ５０５で、ＵＥは、ステップ５００において、受信された下り制御シグナリングから、ＭＣＳ変化量をフィードバックする必要があることを知る場合、ＭＣＳ変化量を基地局にフィードバックする。
【００９３】
ステップ５０６で、基地局は、ＵＥからフィードバックされたＭＣＳ変化量を受信すると、後続の下りデータ伝送に使用するＭＣＳを調整する。
【００９４】
ステップ５０７で、調整されたＭＣＳに従って、第３時刻に、ＵＥへ第３下りデータフレームを送信する。
【００９５】
図６は、本発明のもう１つの実施例における変調符号化方式を調整する方法のフローの模式図である。図６を参照すると、この方法は、下記のステップを含む。
【００９６】
ステップ６０１で、ＵＥは、第１時刻に送信された第１下りデータフレームを受信し、第１下りデータフレームに基づいて、第１ＳＩＮＲおよび第１ＣＱＩを推定する。このステップは、ステップ１０１と同様であり、ここで説明を省略する。
【００９７】
ステップ６０２で、ＵＥは、受信された第２下りデータフレームに基づいて、第２ＳＩＮＲおよび第２ＣＱＩを推定する。ここで、第２下りデータフレームは、前記第１時刻後の第２時刻に送信されたものである。このステップは、ステップ１０２と同様であり、ここで説明を省略する。
【００９８】
ステップ６０３で、ＵＥは、第１ＣＱＩおよび第２ＣＱＩに基づいて、ＣＱＩ変化量を計算する。このステップは、ステップ３０３と同様であり、ここで説明を省略する。
【００９９】
ステップ６０４で、ＵＥは、第１ＳＩＮＲおよび第２ＳＩＮＲに基づいて、ＳＩＮＲ変化量を計算する。このステップは、ステップ４０３と同様であり、ここで説明を省略する。
【０１００】
ステップ６０５で、ＵＥは、ＣＱＩ変化量およびＳＩＮＲ変化量に基づいて、ＭＣＳ変化量を計算する。
【０１０１】
一実施例では、ステップ６０５におけるこの２つのパラメータに基づいてＭＣＳ変化量を計算する方法は、具体的に、下記のステップを含む。
【０１０２】
ステップ６０５１で、ＵＥは、ＣＱＩ変化量に基づいて、ＣＱＩ変化量の属するＣＱＩ値区間を決定し、補正対応関係に基づいて、決定されたＣＱＩ値区間に対応するＭＣＳ補正値を、DＭＣＳ１と表される第１ＭＣＳ変化量とする。指摘すべきものとして、ステップ６０５１は、ステップ３０４、３０５と同様であり、ここで説明を省略する。
【０１０３】
ステップ６０５２で、ＵＥは、ＳＩＮＲ変化量および所定の重みに基づいて、ΔＭＣＳ２と表される第２ＭＣＳ変化量を決定する。例えば、下記のような計算方式を採用する。
【０１０４】
［数式５］
ΔＭＣＳ２＝λ’×ΔＳＩＮＲ
ここで、所定の重みλ’は、ステップ４０４におけるλ値と異なってもよい。
【０１０５】
ステップ６０５３で、ＵＥは、第１ＭＣＳ変化量および第２ＭＣＳ変化量を重み付け合成する。例えば、下記のような計算方式を採用する。
【０１０６】
［数式６］
ΔＭＣＳ＝ｉ×ΔＭＣＳ１＋ｊ×ΔＭＣＳ２
ここで、ｉおよびｊは、それぞれ、２つの所定の重みを表し、かつ、０＜ｉ＜１、０＜ｊ＜１である。
【０１０７】
ステップ６０６で、ＵＥは、ＭＣＳ変化量が所定の閾値より大きいか否かを判断する。ＭＣＳ変化量が所定の閾値より大きい場合、ステップ６０７を実行し、ＭＣＳ変化量が所定の閾値より大きくない場合、ステップ６０８を実行する。
【０１０８】
ステップ６０７で、ＵＥは、ＭＣＳ変化量を基地局にフィードバックする。
【０１０９】
ステップ６０８で、ＵＥは、ＭＣＳ変化量をフィードバックしない。
【０１１０】
ステップ６０９で、基地局は、受信されたＭＣＳ変化量に基づいて、ＭＣＳを調整する。
【０１１１】
図７は、本発明の一実施例における基地局が変調符号化方式を調整する方法のフローの模式図である。図７を参照すると、この方法は、下記のステップを含む。
【０１１２】
ステップ７０１で、基地局は、ＵＥからフィードバックされたＭＣＳ変化量を受信する。
【０１１３】
ステップ７０２で、基地局は、ＣＱＩを調整するかそれともＳＩＮＲを調整するかを判断する。ＣＱＩを調整する場合、ステップ７０３を実行し、ＳＩＮＲを調整する場合、ステップ７０４を実行する。
【０１１４】
例えば、上りデータにおいてＨＡＲＱ結果が受信されたか否かに基づいて判断してもよい。ＨＡＲＱ結果が受信された場合、ＳＩＮＲを調整し、ＨＡＲＱ結果が受信されなかった場合、ＣＱＩを調整する。
【０１１５】
ステップ７０３で、基地局は、ＭＣＳ変化量に基づいてＣＱＩを調整して、調整されたＭＣＳを得る。例えば、基地局は、第２ＣＱＩおよびＭＣＳ変化量を受信すると、該第２ＣＱＩおよびＭＣＳ変化量を加算して、調整されたＭＣＳを得る。
【０１１６】
ステップ７０４で、基地局は、ＭＣＳ変化量に基づいてＳＩＮＲを調整して、調整されたＭＣＳを得る。１つの具体的な実現において、ステップ７０４は、下記のステップを含む。
【０１１７】
ステップ７０４１で、基地局は、下りＨＡＲＱ結果を受信すると、該ＨＡＲＱ結果に基づいて、ＳＩＮＲ補正量ＳＩＮＲｏｆｆｓｅｔを計算する。このステップは、次の数式７によって、ＳＩＮＲ補正量を計算することができる。
【０１１８】
【数３】
2016163357.tif 000010
ここで、ｔは、ＳＩＮＲ補正量の順番を代表し、σは、補正のステップサイズを代表し、例えば、σ＝０．５であり、ＴＢＬＥＲは、目標ＢＬＥＲを代表し、例えば、ＴＢＬＥＲ＝０．１である。
【０１１９】
ステップ７０４２で、基地局は、得られたＳＩＮＲ補正量で、前記第２ＣＱＩに対応するＳＩＮＲを補正する。
【０１２０】
第２ＣＱＩインデックスに対応するＭＣＳおよび目標ＢＬＥＲによって、ＳＩＮＲ−ＢＬＥＲマッピング表を問い合わせて、対応するＳＩＮＲを見つけ、そして、このＳＩＮＲ値およびＳＩＮＲ補正量を加算して、ＳＩＮＲ補正を完成するようにしてもよい。
【０１２１】
ステップ７０４３で、基地局は、補正されたＳＩＮＲおよび前記ＭＣＳ変化量を加算して、調整されたＭＣＳを得る。
【０１２２】
ステップ７０５で、基地局は、調整されたＭＣＳに従って、ＵＥへの下りデータを変調符号化し、第３下りデータフレームを送信する。
【０１２３】
図８は、本発明の一実施例におけるユーザ機器８００の構成の模式図である。このユーザ機器８００は、第１時刻に送信された第１下りデータフレーム、および前記第１時刻後の第２時刻に送信された第２下りデータフレームを受信する受信モジュール８１０と、受信モジュール８１０で受信された第１下りデータフレームに基づいて、第１ＳＩＮＲおよび第１ＣＱＩを推定し、受信された第２下りデータフレームに基づいて、第２ＳＩＮＲおよび第２ＣＱＩを推定する推定モジュール８２０と、推定モジュール８２０により得られた第１ＣＱＩ、第２ＣＱＩ、第１ＳＩＮＲ、第２ＳＩＮＲのうちの１つまたは複数のパラメータに基づいて、ＭＣＳ変化量を計算する計算モジュール８３０と、ＭＣＳ変化量を基地局にフィードバックするフィードバックモジュール８４０と、を含む。
【０１２４】
前記計算モジュール８３０は、ＭＣＳ補正値とＣＱＩ値区間との補正対応関係を予め設定し、推定モジュール８２０により得られた第１ＣＱＩおよび第２ＣＱＩに基づいて、ＣＱＩ変化量を計算し、ＣＱＩ変化量の属するＣＱＩ値区間を決定し、補正対応関係に基づいて、決定されたＣＱＩ値区間に対応するＭＣＳ補正値をＭＣＳ変化量とする。
【０１２５】
前記計算モジュール８３０は、推定モジュール８２０により得られた第１ＳＩＮＲおよび第２ＳＩＮＲに基づいて、ＳＩＮＲ変化量を計算し、ＳＩＮＲ変化量および所定の重みに基づいて、ＭＣＳ変化量を決定する。
【０１２６】
前記フィードバックモジュール８４０は、さらに、下りＨＡＲＱ結果、および推定モジュール８２０により得られた第２ＣＱＩを前記基地局にフィードバックする。
【０１２７】
該ユーザ機器は、計算モジュール８３０により得られたＭＣＳ変化量が所定の閾値より大きいか否かを判断し、該ＭＣＳ変化量が所定の閾値より大きい場合、ＭＣＳ変化量を前記基地局にフィードバックするようフィードバックモジュール８４０を制御する制御モジュール８５０をさらに含む。
【０１２８】
前記受信モジュール８３０は、さらに、無線リソース制御（ＲＲＣ）シグナリングを受信し、前記制御モジュール８５０は、さらに、ＲＲＣシグナリングに従って、ＭＣＳ変化量を基地局にフィードバックするようフィードバックモジュール８４０を制御する。
【０１２９】
前記フィードバックモジュール８４０は、ＰＵＣＣＨまたはＰＵＳＣＨにおいて、ＭＣＳ変化量を基地局にフィードバックする。
【０１３０】
図９は、本発明の一実施例における基地局９００の構成の模式図である。この基地局９００は、ユーザ機器からフィードバックされたＭＣＳ変化量を受信する受信モジュール９１０と、受信モジュール９１０で受信されたＭＣＳ変化量に基づいて、前記ユーザ機器への下りデータに使用するＭＣＳを調整する調整モジュール９２０と、調整モジュール９２０により調整されたＭＣＳに従って、前記ユーザ機器への下りデータを変調符号化し、変調符号化された下りデータを前記ユーザ機器に送信する送信モジュール９３０と、を含む。
【０１３１】
前記受信モジュール９１０は、前記ユーザ機器からフィードバックされたＣＱＩおよびＭＣＳ変化量を受信し、前記調整モジュール９２０は、さらに、受信モジュール９１０で受信されたＣＱＩおよびＭＣＳ変化量を加算して、前記ユーザ機器への下りデータに使用するＭＣＳを得る。
【０１３２】
前記受信モジュール９１０は、前記ユーザ機器からフィードバックされた下りＨＡＲＱ結果、ＣＱＩ、およびＭＣＳ変化量を受信し、前記調整モジュール９２０は、さらに、前記下りＨＡＲＱ結果に基づいて、受信モジュール９１０で受信されたＣＱＩに対応するＳＩＮＲを補正し、補正されたＳＩＮＲ、および受信モジュール９１０で受信されたＭＣＳ変化量を加算して、前記ユーザ機器への下りデータに使用するＭＣＳを得る。
【０１３３】
該基地局は、下りＨＡＲＱ結果に基づいて、パケット誤り率を統計し、パケット誤り率が所定の閾値より大きい場合、前記送信モジュール９３０へ制御指令を送信する制御モジュール９４０をさらに含み、前記送信モジュール９３０は、さらに、制御モジュール９４０から送信された制御指令に従って、下り制御シグナリングを送信して、前記ユーザ機器に対し、ＭＣＳ変化量をフィードバックするよう通知する。
【０１３４】
移動通信システムの進化につれて、良好なシステムスループットを実現するとともに受信の低コストを保持するために、第２世代（２Ｇ）、第３世代（３Ｇ）、および第４世代（４Ｇ）では、いずれも、時分割多元接続（ＴＤＭＡ）、符号分割多元接続（ＣＤＭＡ）、および直交周波数分割多元接続（ＯＦＤＭＡ）技術のような直交多元接続技術が採用されている。現在、第５世代（５Ｇ）におけるスペクトル効率を５〜１５倍向上させる要求を満足させるために、新たな多元接続の多重化方式である非直交多元接続（ＮＯＭＡ）を採用することが提案されている。直交多元接続技術では、１つのユーザに対して、例えば、周波数分割で、または、時分割で、単一の無線リソースを割り当てることしかできないが、ＮＯＭＡ方式では、１つのリソースを複数のユーザに割り当てることができる。
【０１３５】
図１０は、本発明の一実施例の実現環境の模式図である。ここで、ＵＥ＃１とＵＥ＃２とのチャネル品質の相違が大きいため、基地局は、下りスケジューリング時に、大きい範囲のチャネル品質の相違があるユーザＵＥ＃１およびＵＥ＃２の送信信号を重ね合わせることを考慮することにより、複数のユーザのチャネル品質の相違を多重化利得に変換することができる。ユーザ機器は、直列干渉除去技術を用いて、逆多重化を行う。
【０１３６】
図１０に示すシナリオにおいて、ＵＥ＃１とＵＥ＃２とが電力次元において非直交であるため、ＵＥ＃１は、参照信号に基づいてその下りリンクのＣＱＩを推定する際に、自局と対にするＵＥ＃２による干渉を知ることができなく、これにより、ＵＥ＃１からフィードバックされたＣＱＩは、実際な下りＮＯＭＡ伝送時の実際ＣＱＩと相違が大きくなり、言い換えれば、基地局がＵＥ＃１からフィードバックされたＣＱＩを用いて決定したＭＣＳは、実際なＵＥ＃１およびＵＥ＃２のＮＯＭＡ伝送時にＵＥ＃１が採用可能なＭＣＳと相違が大きくなる。従って、ＮＯＭＡ伝送では、ＣＱＩフィードバックメカニズムによって、より大きな誤差が導入され、基地局は、スケジューリングを行う際に、ＭＣＳを決定する正確度が低下し、ＭＣＳの調整を行う必要がある。
【０１３７】
もちろん、本発明の実施例で提供されたＭＣＳを調整する方法は、一般的なマルチユーザマルチアンテナ（ＭＵ−ＭＩＭＯ）伝送シナリオにも適用可能であり、その中には、下りの他のユーザからの干渉も存在する。
【０１３８】
図１０に示すシナリオにおいて、基地局は、２本のアンテナを有し、この２本のアンテナを用いて、ＵＥ＃１に対してＳＵ−ＭＩＭＯ伝送を行うとともに、ＮＯＭＡの方式を採用して、この２本のアンテナを用いて、ＵＥ＃２に対してもＳＵ−ＭＩＭＯ伝送を行い、即ち、２つのリンクにおいて、ＳＵ−ＭＩＭＯ伝送に使用する電力が異なり、ＵＥ＃１は、電力レベル１で限定された電力を使用し、ＵＥ＃２は、電力レベル２で限定された電力を使用する。
【０１３９】
シミュレーションによって、本発明の実施例で提供されたＭＣＳを調整する方法を採用する場合と、ＭＣＳを調整する方法を採用しない場合との性能を比較し、表６には、シミュレーションに使用されたシステムレベルのパラメータが示されている。
【０１４０】
【表６】
2016163357.tif 000011
【０１４１】
図１１は、本発明の一実施例で提供されたＭＣＳを調整する方法を採用する場合と、ＭＣＳを調整する方法を採用しない場合とのユーザスループットの比較の模式図である。ここで、ユーザスループットの累積分布関数（ＣＤＦ）曲線から分かるように、本発明の実施例で提供されたＭＣＳを調整する方法を採用する場合、ユーザスループットは、明らかに向上している。
【０１４２】
図１２は、本発明の他の実施例で提供されたＭＣＳを調整する方法を採用する場合と、ＭＣＳを調整する方法を採用しない場合との性能の比較の模式図である。性能は、セル平均スループットおよびセル端ユーザスループットを含む。ここから分かるように、本発明の実施例で提供されたＭＣＳを調整する方法を採用する場合、この２つのパラメータには、いずれも、約１０％のスループット利得がある。
【０１４３】
本発明の実施例で提供されたＭＣＳを調整する方法によれば、ＵＥが、ＭＣＳ変化量を計算して、該ＭＣＳ変化量を基地局にフィードバックすることにより、基地局は、ＵＥで推定されたチャネル品質偏差を知ることができる。さらに、基地局は、該ＭＣＳ変化量に基づいて、実際に下りデータを伝送する際に使用するＭＣＳを動的に調整することが可能になり、後続の伝送時のＭＣＳの正確性を効果的に改善し、下りスケジューリングの正確性を向上させることができる。シミュレーション結果に示すように、システムスループットおよびユーザスループットは、ある程度で向上している。
【０１４４】
上記は、本発明の好ましい実施例にすぎず、本発明の保護範囲を限定するものではない。本発明の精神と原則内で行われる種々の修正、均等置換え、改善などは全て本発明の保護範囲内に含まれるべきである。
【図１】
2016163357.tif 000012
【図２】
2016163357.tif 000013
【図３】
2016163357.tif 000014
【図４】
2016163357.tif 000015
【図５】
2016163357.tif 000016
【図６】
2016163357.tif 000017
【図７】
2016163357.tif 000018
【図８】
2016163357.tif 000019
【図９】
2016163357.tif 000020
【図１０】
2016163357.tif 000021
【図１１】
2016163357.tif 000022
【図１２】
2016163357.tif 000023